【事件の表示】
　上記当事者間の登録第１８３３０７７号商標の登録取消審判事件について、次のとおり審決する。
【結　論】
　本件審判の請求は、成り立たない。
　審判費用は、請求人の負担とする。
【理　由】
１　本件商標
　本件登録第１８３３０７７号商標（以下「本件商標」という。）は、別掲に示すとおりの構成からなり、昭和５７年１１月１２日に登録出願、第４類「せつけん類、歯みがき、化粧品、香料類」を指定商品として、昭和６１年１月２４日に設定登録されたものである。その後、指定商品については、平成１７年１２月７日、第３類「せっけん類，歯磨き，化粧品，植物性天然香料，動物性天然香料，合成香料，調合香料，精油からなる食品香料，薫料」に書換登録がなされたものである。
　　
２　請求人の主張
　請求人は、本件商標の指定商品中「第３類　せっけん類，化粧品，植物性天然香料，動物性天然香料，合成香料，調合香料，精油からなる食品香料，薫料」の登録を取り消す、審判費用は被請求人の負担とするとの審決を求め、その理由を次のように述べ、証拠方法として甲第１号証を提出した。
（１）請求の理由
　本件商標は，その指定商品中「第３類　せっけん類，化粧品，植物性天然香料，動物性天然香料，合成香料，調合香料，精油からなる食品香料，薫料」について、継続して３年以上日本国内において商標権者、専用使用権者又は通常使用権者のいずれも使用した事実が存しないから商標法第５０条第１項の規定により取り消されるべきものである。
　　　
３　被請求人の主張
　被請求人は、結論と同旨の審決を求めると答弁し、その理由を要旨次のように述べ、証拠方法として乙第１号証ないし同第６号証を提出した。
（１）本件商標は、商標権者である被請求人によって、本件審判請求の登録前３年以内に日本国内において、その請求に係る指定商品のうち少なくとも「せっけん類、化粧品、薫料」について使用されている。
（２）証拠の説明
　ア　乙第１号証
　（ア）乙第１号証は、「Ｐｒｅｍｉｕｍ　Ｌｉｆｅ　Ｃｒｅａｔｉｏｎ　Ｇｏｏｄｓ　ｖｏｌ．１５」という標題の被請求人の商品カタログ（以下「本件カタログ」という。）の原本である。本件カタログが被請求人の商品カタログであることは、記載内容から明らかである。
　（イ）本件カタログの最終頁の右下には「２００８．１」と記載されており、本件カタログが２００８年１月に発行されたことを示している。
　（ウ）本件カタログの表紙の左上には、楕円で囲まれた「ＲＹＯ」の文字が付されている（以下「使用商標１」という。）。
　（エ）本件カタログの８３頁には、「炭麗・入浴セット１」という商品名で「入浴用せっけん」が掲載されている。商品の写真の下にある「セット：炭石けん１、メッシュタオル（約２４×９０ｃｍ）１」との記載に示すとおり、「炭麗・入浴セット１」は炭石けん１個とタオル１個とがセットとなった商品である。商品の写真の右上には、商品の特徴の説明の記載がある。かかる記載及び「炭麗」というその名称からも分かるとおり、「炭麗・入浴セット１」の主体は、あくまで「石けん」である。
　「炭麗・入浴セット１」は、本件カタログが発行された２００８年１月のみならず、現在においても販売されている。
　（オ）本件カタログの４８頁には、「サンフレンド」という商品名で「あぶらとり紙」が掲載されている。「サンフレンド」は、本件カタログが発行された２００８年１月のみならず、現在においても販売されている。
　（カ）本件カタログの６９頁には、「お参りセット　やすらぎＡ」「お参りセット　やすらぎＢ」という商品名で「線香」が掲載されている。「お参りセット　やすらぎＡ」「お参りセット　やすらぎＢ」は、本件カタログが発行された２００８年１月のみならず、現在においても販売されている。
　イ　乙第２号証
　（ア）乙第２号証は、「炭麗・入浴セット１」のパッケージの写真である。
　（イ）乙第２号証の写真３ないし６に示すとおり、「炭麗・入浴セット１」のパッケージの左右側面の２個所に、使用商標１が付されている。
　（ウ）また、乙第２号証の写真３及び５に示すとおり、「炭麗・入浴セット１」のパッゲージの左側面には、イタリック体で表わされた「ＰＲＯＤＵＣＴＳ　ｂｙ」との文字に続いて「ＲＹＯ」の文字が付されている（以下「使用商標２」という。）。
　ウ　乙第３号証
　（ア）乙第３号証は、「サンフレンド」（写真２では「サン・フレンド」と表記されている。）のパッケージの写真である。
　（イ）乙第３号証の写真２及び３に示すとおり、「サンフレンド」のパッケージの上下側面の２個所に、使用商標１が付されている。
　（ウ）また、乙第３号証の写真３に示すとおり、「サンフレンド」のパッケージの上側面には、イタリック体で表わされた「ＰＲＯＤＵＣＴＳ　ｂｙ」との文字に続いて使用商標２が付されている。
　エ　乙第４号証
　（ア）乙第４号証は、被請求人の取引先である池内修宛ての２００８年９月３０日付け請求書（控）である。
　（イ）乙第４号証には、２００８年９月２４日に「炭麗・入浴セット１」が１９個販売された事実が示されている。
　なお、乙第４号証に示された価格が本件カタログに掲載されている価格と相違するのは、割引が適用されているからである。この点は乙第５号証及び乙第６号証においても同様である。
　オ　乙第５号証
　（ア）乙第５号証は、被請求人の取引先である有限会社ジャンプアップ企画宛ての２００８年８月２０日付け請求書（控）である。
　（イ）乙第５号証には、２００８年７月２４日に「サン・フレンド」（「サンフレンド」のこと）が１３００個販売された事実が示されている。
　カ　乙第６号証
　（ア）乙第６号証は、被請求人の取引先であるユアサ商事株式会社宛ての２００８年１０月２０日付け請求書（控）である。
　（イ）乙第６号証には、「やすらぎＡ」（「お参りセット　やすらぎＡ」のこと）が２００８年９月２２日に１個、２００８年９月２６日に８０個販売された事実が示されている。
（３）本件商標の使用の事実
　ア　本件商標と使用商標１及び２との同一性
　（ア）使用商標１について
　本件商標と使用商標１とを対比すると、両者は楕円の有無で相違するものの、楕円を除いた使用商標１の文字部分は本件商標と同一であり、使用商標１からは容易に本件商標を認識することができる。
　また、使用商標１において自他商品識別機能を果たしているのは「ＲＹＯ」の部分であり、両商標は、社会通念上同一の商標というべきである。
　（イ）使用商標２について
　使用商標２は、本件商標と同一である。
　イ　使用商品
　乙第１号証ないし乙第６号証に示すとおり、本件商標は、「せっけん類、化粧品、薫料」について使用されている。
　ウ　商標の使用者
　乙第１号証ないし乙第６号証に示すとおり、本件商標は、商標権者自身によって使用されている。
　エ　使用時期
　乙１〜６に示すとおり、本件商標は、遅くとも２００８年１月以降、現在に至るまで使用されている。
　　　
４　当審の判断
（１）被請求人提出の証拠によれば、以下の事実が認められる。
　ア　被請求人に係ると認められる商品カタログ（乙第１号証）には、その表紙の左上に、楕円輪郭内に「ＲＹＯ」を配した使用商標１が表示されており、カタログ４８頁にはその取扱商品の一として、商品「サンフレンド」の現物写真が掲載されている。当該商品には、「品番１：０６００１」の表示と「脂取り紙３０」が入っている旨の表示が認められる。また、カタログの１０１頁下段には、「２００８．１」の表示があり、これが２００８年１月発行のものと認められる。
　イ　「写真」（乙第３号証）には、「サンフレンド（Ｓｕｎ−Ｆｒｉｅｎｄ）」の包装箱が写されており、包装箱上面に「あぶら取り紙入り・・」との表示があり、包装箱横面には、使用商標１が表示されると共に、「ＰＲＯＤＵＣＴＳ　ｂｙ　ＲＹＯ」からなる使用商標２が表示されている。また、「Ｎｏ．０６００１」が表示されている。
　ウ　２００８年８月２０日発行の被請求人から「（有）ジャンプアップ企画」に宛てた請求書（乙第５号証）によれば、２００８年７月２４日付の「サン・フレンド」の数量「１３００」の売上代金として「１７９４００」が請求されており、上記ア及びイに係る商品の取引が、本件審判請求の登録前３年以内の時期に、現に行われたと推認することができる。
（２）本件商標は、別掲のとおり、「Ｒ」「Ｙ」「Ｏ」の各文字を連結した様に一体的に表示したものである。これに対し、前記（１）の使用商標１は、ありふれた楕円輪郭内に上記同様の「ＲＹＯ」を表したものであり、また、前記（１）の使用商標２は、「ＰＲＯＤＵＣＴＳ　ｂｙ」に続けて、やや大きく上記同様の「ＲＹＯ」を表したものであって、いずれも、当該「ＲＹＯ」が自他商品の識別機能の上で主要な部分として把握されるとみるのが相当である。
　しかして、使用に係る商標は、本件商標と構成態様が酷似する「ＲＹＯ」を主要な部分とするものであるから、本件商標と社会通念上同一の商標が使用されたものと認められる。
　また、前記の商標は、「あぶらとり紙」について使用をされたと認め得るものであり、「あぶらとり紙」は、「化粧品」に属する商品であるから（商標法施行規則第６条別表中、第３類「化粧品」の「（七）その他の化粧品」参照）、使用に係る商品は、取消請求に係る指定商品の一に該当するものである。
（３）以上のとおり、本件商標は、取消請求に係る指定商品について、本件審判請求の登録前３年以内に商標権者によって使用をされたと認められるから、商標法第５０条に照らし、その登録を取り消すことはできない。
　よって、結論のとおり審決する。